(57)【要約】【課題】  液晶表示装置に生じる横すじを軽減する。【解決手段】  映像信号線の延在方向で走査信号線を横切る毎に、該映像信号線に対するＴＦＴ素子の配置方向が反転し、かつ、表示領域の外側に、前記走査信号線を２本横切るごとにＴＦＴ素子が配置された領域を有し、前記各映像信号線は、１フレーム期間中同じ極性の信号が加わり、かつ、隣接する２本の映像信号線には、互いに逆の極性の信号が加わる表示装置であり、前記各走査信号線は、前記映像信号線に１フレーム分の映像信号が加わる期間に、走査信号が２回加わり、各画素の画素電極は、走査信号線に走査信号が２回加わる毎に、共通電位に対する電位が反転する表示装置。【選択図】        図１１
2007322626.tif 000002
【特許請求の範囲】
【請求項１】
複数本の走査信号線と、絶縁層を介して前記複数本の走査信号線と立体的に交差する複数本の映像信号線と、２本の隣接する走査信号線と２本の隣接する映像信号線で囲まれた領域に対して配置されたＴＦＴ素子および画素電極とを有し、前記画素領域の集合として表示領域が設定された表示パネルを備える表示装置において、
前記映像信号線の延在方向で前記走査信号線を横切る毎に、該映像信号線に対するＴＦＴ素子の配置方向が反転し、
かつ、前記表示領域の外側に、前記走査信号線を２本横切るごとにＴＦＴ素子が配置された領域を有し、
前記各映像信号線は、１フレーム期間中同じ極性の信号が加わり、かつ、隣接する２本の映像信号線には、互いに逆の極性の信号が加わることを特徴とする表示装置。
【請求項２】
前記各走査信号線は、前記映像信号線に１フレーム分の映像信号が加わる期間に、走査信号が２回加わり、
各画素の画素電極は、走査信号線に走査信号が２回加わる毎に、共通電位に対する電位が反転することを特徴とする請求項１に記載の表示装置。
【請求項３】
前記映像信号線に加わる映像信号は、１フレーム期間を２つのフィールド期間に分割し、第１のフィールド期間は前記映像信号よりも階調が高い映像信号が加わり、第２のフィールド期間は前記映像信号よりも階調が低い映像信号が加わり、
前記各走査信号線は、第１のフィールド期間および第２のフィールド期間と同期した走査信号が加わることを特徴とする請求項１に記載の表示装置。
【請求項４】
前記各映像信号線に１フレーム期間に加わる映像信号は、映像信号線の延在方向に並んだ２つの画素毎に、共通電位に対する電位の極性が反転していることを特徴とする請求項１に記載の表示装置。
【発明の詳細な説明】
【技術分野】
【０００１】
本発明は、表示装置に関し、特に、ＴＦＴ素子が画素単位で配置された表示パネルを有する表示装置に適用して有効な技術に関するものである。
【背景技術】
【０００２】
従来、テレビなどの表示装置には、液晶表示パネルを用いた液晶表示装置がある。
【０００３】
前記液晶表示パネルは、一対の基板の間に液晶材料を封入した表示パネルである。このとき、一方の基板には、たとえば、ＴＦＴ素子や画素電極が画素単位で配置されている。また、他方の基板には、たとえば、前記画素電極と対向する位置にカラーフィルタが配置されている。
【０００４】
またこのとき、前記ＴＦＴ素子などが配置された基板（以下、ＴＦＴ基板と呼ぶ。）は、複数本の走査信号線と、絶縁層を介して前記複数本の走査信号線と立体的に交差する複数本の映像信号線とを有し、２本の隣接する走査信号線と２本の隣接する映像信号線で囲まれる領域が１つの画素領域に相当し、各画素領域に対してＴＦＴ素子や画素電極が配置されている。
【０００５】
また、前記ＴＦＴ基板において、各画素領域に配置されるＴＦＴ素子は、ゲート電極が走査信号線に接続され、ドレイン電極が映像信号線に接続されている。このとき、たとえば、映像信号線の延在方向に並んだ複数個の画素領域に配置された各ＴＦＴ素子のドレイン電極は、一般に、同一の映像信号線に接続されている。
【０００６】
これに対し、映像信号線の延在方向に並んだ複数個の画素領域に配置された各ＴＦＴ素子のドレイン電極が、隣接する２本の映像信号線に交互に接続されている例が、特許文献１に記載されている。
【０００７】
また、たとえば、映像信号線の延在方向に並んだ複数個の画素領域に配置された各ＴＦＴ素子のドレイン電極が、隣接する２本の映像信号線に交互に接続されている液晶表示パネルの駆動方法に、たとえば、列毎反転と呼ばれる駆動方法を適用した例が提案されている。列毎反転駆動の場合、たとえば、前記各映像信号線には、１フレーム期間中同じ極性の映像信号が入力されるが、２本の隣接する映像信号線に入力される映像信号は、互いに逆の極性であるような駆動方法である。このような駆動方法にすると、映像信号線の延在方向に並んだ各画素は、正極性の画素と負極性の画素が交互に並ぶことになる。また、走査信号線の延在方向に並んだ各画素についても、正極性の画素と負極性の画素が交互に並んでいる。つまり、映像信号線毎に極性を変えつつ、画素単位の反転（ドット反転）を実現することができる。
【特許文献１】特開平１０−９０７１２号公報
【発明の開示】
【発明が解決しようとする課題】
【０００８】
しかしながら、映像信号線の延在方向に並んだ複数個の画素領域に配置された各ＴＦＴ素子のドレイン電極が、隣接する２本の映像信号線に交互に接続されている液晶表示パネルを、列毎反転駆動させた場合、たとえば、走査信号線の延在方向に並んだ画素の列（ライン）毎に、輝度が明暗したすじ（横すじ）が見えるという問題があった。
【０００９】
また、前記横すじは、走査終了側、たとえば、画面の上から下に向かって走査する場合の画面の下側に近づくほど目立つ。
【００１０】
本発明の目的は、液晶表示装置に生じる横すじを軽減することが可能な技術を提供することにある。
【００１１】
本発明の前記ならびにその他の目的と新規な特徴は、本明細書の記述および添付図面によって明らかになるであろう。
【課題を解決するための手段】
【００１２】
本願において開示される発明のうち、代表的なものの概略を説明すれば、以下の通りである。
【００１３】
（１）複数本の走査信号線と、絶縁層を介して前記複数本の走査信号線と立体的に交差する複数本の映像信号線と、２本の隣接する走査信号線と２本の隣接する映像信号線で囲まれた領域に対して配置されたＴＦＴ素子および画素電極とを有し、前記画素領域の集合として表示領域が設定された表示パネルを備える表示装置において、前記映像信号線の延在方向で前記走査信号線を横切る毎に、該映像信号線に対するＴＦＴ素子の配置方向が反転し、かつ、前記表示領域の外側に、前記走査信号線を２本横切るごとにＴＦＴ素子が配置された領域を有し、前記各映像信号線は、１フレーム期間中同じ極性の信号が加わり、かつ、隣接する２本の映像信号線には、互いに逆の極性の信号が加わる表示装置。
【００１４】
（２）前記（１）の表示装置において、前記各走査信号線は、前記映像信号線に１フレーム分の映像信号が加わる期間に、走査信号が２回加わり、各画素の画素電極は、走査信号線に走査信号が２回加わる毎に、共通電位に対する電位が反転する表示装置。
【００１５】
（３）前記（１）の表示装置において、前記映像信号線に加わる映像信号は、１フレーム期間を２つのフィールド期間に分割し、第１のフィールド期間は前記映像信号よりも階調が高い映像信号が加わり、第２のフィールド期間は前記映像信号よりも階調が低い映像信号が加わり、前記各走査信号線は、第１のフィールド期間および第２のフィールド期間と同期した走査信号が加わる表示装置。
【００１６】
（４）前記（１）の表示装置において、前記各映像信号線に１フレーム期間に加わる映像信号は、映像信号線の延在方向に並んだ２つの画素毎に、共通電位に対する電位の極性が反転している表示装置。
【発明の効果】
【００１７】
本発明の表示装置は、映像信号線の延在方向で前記走査信号線を横切る毎に、映像信号線に対するＴＦＴ素子の配置方向が反転しており、映像信号線の延在方向に並んだ複数の画素領域に配置されたＴＦＴ素子のドレイン電極は隣接する２本の映像信号線に交互に接続されている。そのため、前記各映像信号線に、１フレーム期間中同じ極性の信号を加え、かつ、隣接する２本の映像信号線には、互いに逆の極性の信号を加われば、ドット反転駆動と同様の反転駆動をさせることができる。
【００１８】
またこのとき、たとえば、前記各走査信号線には、前記映像信号線に１フレーム分の映像信号が加わる期間に走査信号を２回加え、各画素の画素電極は、走査信号線に走査信号が２回加わる毎に、共通電位に対する電位が反転するようにすれば、実効周期が２倍になるので、表示領域の走査信号線の延在方向に沿った画素列（ライン）毎に生じる横すじを軽減することができる。
【００１９】
また、他にも、たとえば、前記映像信号線に加わる映像信号の１フレーム期間を２つのフィールド期間に分割し、第１のフィールド期間は前記映像信号よりも階調が高い映像信号を加え、第２のフィールド期間は前記映像信号よりも階調が低い映像信号を加え、前記各走査信号線には、第１のフィールド期間および第２のフィールド期間と同期した走査信号を加えても、表示領域の走査信号線の延在方向に沿った画素列（ライン）毎に生じる横すじを軽減することができる。
【００２０】
またさらに、たとえば、前記各映像信号線に１フレーム期間に加わる映像信号を、映像信号線の延在方向に並んだ２つの画素毎に、共通電位に対する電位の極性が反転させても、表示領域の走査信号線の延在方向に沿った画素列（ライン）毎に生じる横すじを軽減することができる。
【発明を実施するための最良の形態】
【００２１】
以下、本発明について、図面を参照して実施の形態（実施例）とともに詳細に説明する。
なお、実施例を説明するための全図において、同一機能を有するものは、同一符号を付け、その繰り返しの説明は省略する。
【００２２】
図１乃至図５は、本発明が適用される表示パネルの一構成例を示す模式図である。
図１は、液晶表示パネルを観察者側からみた模式平面図である。図２は、図１のＡ−Ａ’線における模式断面図である。図３は、液晶表示パネルのＴＦＴ基板における表示領域の１画素の構成例を示す模式平面図である。図４は、図３のＢ−Ｂ’線における模式断面図である。図５は、図３のＣ−Ｃ’線における模式断面図である。
【００２３】
本発明は、表示領域を構成する画素領域にＴＦＴ素子が配置された表示パネルを有する表示装置に関するものであり、このような表示パネルの１つとして、液晶表示パネルがある。
【００２４】
液晶表示パネルは、たとえば、図１および図２に示すように、一対の基板１，２の間に液晶材料３を封入した表示パネルである。このとき、一対の基板１，２は、表示領域ＤＡの外側に環状に配置されたシール材４で接着されており、液晶材料３は、一対の基板１，２およびシール材４で囲まれた空間に封入されている。
【００２５】
一対の基板１，２のうち、観察者側からみた外形寸法が大きい方の基板１は、一般に、ＴＦＴ基板と呼ばれる。図１および図２では省略しているが、ＴＦＴ基板１は、ガラス基板などの透明な基板の表面の上に、複数本の走査信号線と、絶縁層を介して前記複数本の走査信号線と立体的に交差する複数本の映像信号線が形成されている。そして、２本の隣接する走査信号線と２本の隣接する映像信号線で囲まれた領域が１つの画素領域に相当し、各画素領域に対してＴＦＴ素子や画素電極などが配置されている。また、ＴＦＴ基板１と対をなす他方の基板２は、一般に、対向基板と呼ばれる。
【００２６】
前記液晶表示パネルが、たとえば、ＴＮ方式やＶＡ方式のような縦電界方式と呼ばれる駆動方式の場合、ＴＦＴ基板１の画素電極と対向する対向電極（共通電極とも呼ばれる）は、対向基板２側に設けられる。また、前記液晶表示パネルが、たとえば、ＩＰＳ方式のような横電界方式と呼ばれる駆動方式の場合、前記対向電極は、ＴＦＴ基板１側に設けられる。
【００２７】
次に、液晶表示パネルの表示領域ＤＡの１画素の構成例について、図３乃至図５を参照して簡単に説明する。
【００２８】
本発明が適用される液晶表示パネルにおいて、表示領域ＤＡの１画素の構成は、基本的には、どのような構成でもよいが、以下の説明では、本発明を適用することが望ましい液晶表示パネルとして、図３乃至図５に示すような、ＩＰＳ方式の場合の構成を例に挙げる。
【００２９】
ＩＰＳ方式の液晶表示パネルの場合、画素電極および対向電極（共通電極）は、ＴＦＴ基板１側に設けられる。このとき、ＴＦＴ基板１は、たとえば、図３乃至図５に示すように、ガラス基板ＳＵＢの表面に、ｘ方向に延在する複数本の走査信号線ＧＬが設けられており、走査信号線ＧＬの上には、第１の絶縁層ＰＡＳ１を介してｙ方向に延在し、複数本の走査信号線ＧＬと立体的に交差する複数本の映像信号線ＤＬが設けられている。そして、２本の隣接する走査信号線ＧＬと２本の隣接する映像信号線ＤＬによって囲まれた領域が１つの画素領域に相当する。
【００３０】
また、ガラス基板ＳＵＢの表面には、たとえば、画素領域毎に、平板状の対向電極ＣＴが設けられている。このとき、ｘ方向に並んだ各画素領域の対向電極ＣＴは、走査信号線ＧＬと並行した共通信号線ＣＬによって電気的に接続されている。また、走査信号線ＧＬからみて、共通信号線ＣＬが設けられている方向と反対側には、対向電極ＣＴと電気的に接続されている共通接続パッドＣＰが設けられている。
【００３１】
また、第１の絶縁層ＰＡＳ１の上には、映像信号線ＤＬの他に、半導体層、ドレイン電極ＳＤ１、およびソース電極ＳＤ２が設けられている。このとき、半導体層は、たとえば、アモルファスシリコン（ａ−Ｓｉ）を用いて形成されており、各画素領域に対して配置されるＴＦＴ素子のチャネル層ＳＣとしての機能を持つものの他に、たとえば、走査信号線ＧＬと映像信号線ＤＬが立体的に交差する領域における走査信号線ＧＬと映像信号線ＤＬの短絡を防ぐもの（図示しない）がある。このとき、ＴＦＴ素子のチャネル層ＳＣとしての機能を持つ半導体層は、映像信号線ＤＬに接続しているドレイン電極ＳＤ１とソース電極ＳＤ２の両方が接続されている。
【００３２】
また、映像信号線ＤＬなどが形成された面（層）の上には、第２の絶縁層ＰＡＳ２を介して画素電極ＰＸが設けられている。画素電極ＰＸは、画素領域毎に独立した電極であり、第２の絶縁層ＰＡＳに設けられた開口部（スルーホール）ＴＨ１においてソース電極ＳＤ２と電気的に接続されている。また、対向電極ＣＴと画素電極ＰＸが、図３乃至図５に示したように、第１の絶縁層ＰＡＳ１および第２の絶縁層ＰＡＳ２を介して積層配置されている場合、画素電極ＰＸは、スリットＳＬが設けられたくし歯形状の電極になっている。
【００３３】
また、第２の絶縁層ＰＡＳ２の上には、画素電極ＰＸの他に、たとえば、走査信号線ＧＬを挟んで上下に配置された２つの対向電極ＣＴを電気的に接続するためのブリッジ配線ＢＲが設けられている。このとき、ブリッジ配線ＢＲは、走査信号線ＧＬを挟んで配置された共通信号線ＣＬおよび共通接続パッドＣＰとスルーホールＴＨ２，ＴＨ３によって接続される。
【００３４】
また、第２の絶縁層ＰＡＳ２の上には、画素電極ＰＸおよびブリッジ配線ＢＲを覆うように配向膜５が設けられている。なお、図示は省略するが、対向基板２は、ＴＦＴ基板１の配向膜５が設けられた面に対向するように配置される。
【００３５】
図６は、本発明の前提となる表示領域の画素の配置構成を説明するための模式回路図である。図７は、従来の液晶表示装置における問題点を説明するための模式図である。
【００３６】
本発明は、たとえば、１つの画素領域の構成が、図３乃至図５に示したような構成であるＴＦＴ基板１を有する液晶表示パネルに適用されるが、このとき、映像信号線ＤＬの延在方向に沿って並んだ各画素領域に配置されたＴＦＴ素子のドレイン電極は、図６に示すように、隣接する２本の映像信号線に交互に接続されていることを第１の前提とする。つまり、２本の隣接した映像信号線ＤＬｎとＤＬｎ＋１の間にあるＴＦＴ素子は、映像信号線の延在方向で見たときに、映像信号線ＤＬｎに接続されたＴＦＴ素子と、映像信号線ＤＬｎ＋１に接続されたＴＦＴ素子が交互に並んでいる。以下、このようなＴＦＴ素子の配置を千鳥配置と呼ぶ。
【００３７】
また、本発明が適用される液晶表示パネルは、列毎反転駆動であることを第２の前提とする。すなわち、１本の映像信号線には１フレーム期間中同じ極性の映像信号が加わり、かつ、２本の隣接する映像信号線には互いに逆の極性の映像信号が加わる反転駆動をさせることを第２の前提とする。このとき、各画素領域の画素電極は、共通電極に対する極性が、たとえば、図６に示したようになる。
【００３８】
しかしながら、このような表示装置では、たとえば、図７に示すように、走査信号線の延在方向に並んだ画素の列（ライン）毎に、輝度が明暗したすじ（横すじ）が見えるという問題があった。また、前記横すじは、走査終了側、たとえば、画面の上から下に向かって走査する場合の画面の下側に近づくほど目立つようになる。
【００３９】
図８および図９は、従来の表示装置において横すじが発生する原因を説明するための模式図である。
【００４０】
従来の液晶表示パネル（ＴＦＴ基板１）では、画素電極を形成するときに、２本の隣接する映像信号線との間隔が等しくなるように形成し、画素電極と映像信号線の間に生じる寄生容量が等しくなるようにしている。
【００４１】
しかしながら、画素電極を形成する工程において、たとえば、マスクずれなどにより画素電極と映像信号線の相対的な位置関係にずれが生じると、たとえば、図８に示すように、画素電極と映像信号線の間に生じる寄生容量の大きさが変わってしまう。
【００４２】
このとき、たとえば、図８に示した映像信号線ＤＬｎとＤＬｎ＋１の間に並んだ３つの画素の画素電位は、たとえば、図９に示すような変動をする。すなわち、画素電極との寄生容量が大きくなる映像信号線ＤＬｎに加わる信号が正極性から負極性に変わると、それにともない、各画素電極の画素電位がΔＶだけ低下する。このとき、ＴＦＴ素子のドレイン電極が映像信号線ＤＬｎに接続されている画素は映像信号で設定された明るさよりも暗くなり、ドレイン電極が映像信号線ＤＬｎ＋１に接続されている画素は映像信号で設定された明るさよりも明るくなる。
【００４３】
逆に、画素電極との寄生容量が大きくなる映像信号線ＤＬｎに加わる信号が負極性から正極性に変わると、それにともない、各画素電極の画素電位がΔＶだけ上昇する。このとき、ＴＦＴ素子のドレイン電極が映像信号線ＤＬｎに接続されている画素は映像信号で設定された明るさよりも暗くなり、ドレイン電極が映像信号線ＤＬｎ＋１に接続されている画素は映像信号で設定された明るさよりも明るくなる。
【００４４】
このように、画素電極と映像信号線の間に生じる寄生容量に偏りがあると、寄生容量が大きい映像信号線に接続された画素は暗くなり、寄生容量が小さい映像信号線に接続された画素は明るくなる。この明るさの変動によって横すじが発生している。
【００４５】
そこで、以下の実施例では、図３乃至図６に示したような構成の液晶表示パネルにおいて、横すじを軽減する方法について説明する。
【実施例１】
【００４６】
図１０は、本発明による実施例１の液晶表示装置の概略構成を示す模式図である。なお、図１０には３つの図を示しており、（ａ）は画素電極と映像信号線の間に生じる寄生容量に関するパラメータを説明する模式断面図、（ｂ）は画素電極と映像信号線の距離と寄生容量の関係を示すグラフ図、（ｃ）は対向電極と映像信号線の距離と寄生容量の関係を示すグラフ図である。
【００４７】
実施例１では、画素電極と映像信号線の間で生じる寄生容量を小さくすることで、ＴＦＴ素子が千鳥配置の液晶表示装置を列毎反転駆動させたときの横すじを軽減する方法について説明する。
【００４８】
液晶表示パネルが横電界駆動方式であり、ＴＦＴ基板の１画素の構成が、図３乃至図５に示したような構成の場合、映像信号線ＤＬとその両側に配置された画素電極ＰＸの間には、たとえば、図１０の（ａ）に示したような寄生容量が形成される。このとき、映像信号線の電気力線は、画素電極ＰＸと共通電極ＣＴに終端するので、映像信号線ＤＬとその右側にある画素電極ＰＸとの寄生容量Ｃｓｉｇ（Ｒ）は、映像信号線ＤＬとその右側にある画素電極ＰＸのギャップａＲおよび共通電極ＣＴのギャップｂＲの関数で表すことができる。同様に、映像信号線ＤＬとその左側にある画素電極ＰＸとの寄生容量Ｃｓｉｇ（Ｌ）は、映像信号線ＤＬとその左側にある画素電極ＰＸのギャップａＬおよび共通電極ＣＴのギャップｂＬの関数で表すことができる。
【００４９】
またこのとき、映像信号線ＤＬと画素電極ＰＸのギャップａと、寄生容量Ｃｓｉｇの関係は、たとえば、図１０の（ｂ）に示したような関係であり、ギャップａが大きくなるほど寄生容量Ｃｓｉｇが小さくなる。また、映像信号線ＤＬと共通電極ＣＴのギャップｂと、寄生容量Ｃｓｉｇの関係は、たとえば、図１０の（ｃ）に示したような関係であり、ギャップｂが小さいほど寄生容量Ｃｓｉｇが小さい。
【００５０】
ところで、一般的な液晶表示装置では、各画素の開口率を大きくするために、画素電極ＰＸおよび対向電極ＣＴは可能な限り大きくしている。そのため、映像信号線ＤＬと対向電極ＣＴのギャップｂを小さくして寄生容量Ｃｓｉｇを小さくするのは非常に難しい。つまり、寄生容量Ｃｓｉｇを小さくするには、画素電極ＰＸの幅を細くして、映像信号線ＤＬと画素電極ＰＸのギャップａを小さくすればよい。
【００５１】
このようにすれば、映像信号線ＤＬと画素電極ＰＸの間で形成される寄生容量Ｃｓｉｇを小さくすることができ、映像信号線の極性が反転するタイミングで生じる画素電極の電位の変動ΔＶを小さくすることができる。その結果、表示領域に生じる横すじを軽減することができる。
【実施例２】
【００５２】
図１１は、本発明による実施例２の液晶表示装置の駆動方法を説明するための模式図である。
【００５３】
実施例１では、たとえば、画素電極ＰＸの幅を狭くし、映像信号線ＤＬと画素電極ＰＸのギャップａを大きくすることで、映像信号線ＤＬと画素電極ＰＸの間で形成される寄生容量Ｃｓｉｇを小さくし、横すじを軽減している。しかしながら、画素電極ＰＸの幅を狭くするということは、画素の開口率の低下につながる。
【００５４】
実施例２では、駆動方法を変えることで、画素の開口率を低下させることなく横すじを軽減する方法について説明する。
【００５５】
実施例２の液晶表示装置の駆動方法は、たとえば、図１１に示すように、映像の１フレーム期間に２回走査する。このときも、画素電極ＰＸとその両側にある映像信号線の間で形成される各寄生容量に偏りがあると、たとえば、図１１に示すように、映像信号線に加わる映像信号の極性が反転するタイミングで、画素電位がΔＶだけ低下または上昇する。しかしながら、１フレーム期間内に２回走査しているので、走査信号の周期を基準にみた場合、画素電位の電圧が変動しない期間Ｐ１と、変動する期間Ｐ２が交互に現れる。つまり、実施例２の液晶表示装置の駆動方法では、実効周期が２倍になるので、横すじのレベルが従来の半分になる。
【実施例３】
【００５６】
図１２および図１３は、本発明による実施例３の液晶表示装置の駆動方法を説明するための模式図である。
図１２は、実施例３の駆動方法の原理を説明するための模式図である。図１３は、実施例３の駆動方法における画素電位の変化を説明するための模式図である。
【００５７】
実施例３では、画素の開口率を低下させることなく横すじを軽減する方法として、実施例２とは異なる駆動方法を適用した例について説明する。
【００５８】
液晶表示装置で映像や画像を表示する場合、各画素の表示は、１フレーム期間同じ輝度（階調）で表示するのが一般的である。しかしながら、近年は、たとえば、１フレーム期間を２つのフィールドに分割し、各フィールドで輝度を変えて表示する方法が提案されている。
【００５９】
１フレーム期間を２つのフィールドに分割し、各フィールドで輝度を変えて表示する方法には、たとえば、図１２に示すように、１フレーム期間を明フィールドと暗フィールドに分割する方法がある。この方法は、たとえば、映像信号の階調データに基づいて、明フィールドの輝度と暗フィールドの輝度を設定する。たとえば、映像信号における入力階調がＣ１の場合、明フィールドは輝度ＣＢ１で表示し、暗フィールドは輝度ＣＤ１で表示する。このようにすると、観察者には、明フィールドは輝度ＣＢ１と暗フィールドは輝度ＣＤ１を合成した輝度ＣＥ１で表示されているように見える。
【００６０】
このような駆動方法を、本発明の液晶表示装置の駆動方法として適用すると、画素電極の電位は、たとえば、図１３に示すような変化をする。実施例３の液晶表示装置の駆動方法の場合、明フィールドの表示期間も、暗フィールドの表示期間も、映像信号線ＤＬの電圧幅はＶｄｄ／２になる。そのため、たとえば、実施例２で挙げたような２フレーム交流の場合に比べ、フレームやフィールドの切り替えにともなう画素電位の変動量は、実施例２に挙げた例の半分になる。つまり、実施例３の液晶表示装置の駆動方法では、各走査周期Ｐの間に１回、フレームやフィールドの切り替えにともなう画素電位の変動が起こるが、その変動量が従来の半分であるため横すじのレベルが従来の半分になる。
【００６１】
またさらに、実施例３の場合、暗フィールドの表示期間は、表示される映像の輝度が低いので、輝度の変化が識別しにくく、横すじが目立ちにくいという利点もある。
【実施例４】
【００６２】
図１４は、本発明による実施例４の液晶表示装置の駆動方法を説明するための模式図である。
【００６３】
実施例４では、画素の開口率を低下させることなく横すじを軽減する方法として、実施例２および実施例３とは異なる駆動方法を適用した例について説明する。
【００６４】
実施例４では、映像信号線ＤＬに加える映像信号を、２ライン反転、すなわち映像信号線の延在方向に並んだ２つの画素毎に極性が反転した信号にして入力することで、横すじを軽減する。
【００６５】
２ライン反転を適用した場合、２本の隣接する映像信号線ＤＬｎ，ＤＬｎ＋１の間に並んでいる５本の走査信号線ＧＬｍ，ＧＬｍ＋１，ＧＬｍ＋２，ＧＬｍ＋３，ＧＬｍ＋４に接続された画素の画素電極の電位は、たとえば、図１４に示すような変化をする。このとき、映像信号線ＤＬｎ，ＤＬｎ＋１に加わる映像信号は、１フレーム期間中に複数回極性が反転するので、各画素電極の電位は、極性が反転する毎に、その反転にともない電圧が低下したり上昇したりする。つまり、実施例４の液晶表示装置の駆動方法では、１フレーム期間中に、極性の反転にともない暗くなる期間と明るくなる期間が複数回繰り返されるので、見た目にはその平均の明るさになり、横すじを軽減することができる。
【００６６】
以上、本発明を、前記実施例に基づき具体的に説明したが、本発明は、前記実施例に限定されるものではなく、その要旨を逸脱しない範囲において、種々変更可能であることはもちろんである。
【００６７】
たとえば、前記各実施例では、１画素の構成が図３乃至図５に示したような構成の横電界駆動方式の液晶表示パネルを例に挙げたが、これに限らず、他の構成の液晶表示パネルにも本発明を適用できることはもちろんである。
【図面の簡単な説明】
【００６８】
【図１】液晶表示パネルを観察者側からみた模式平面図である。
【図２】図１のＡ−Ａ’線における模式断面図である。
【図３】液晶表示パネルのＴＦＴ基板における表示領域の１画素の構成例を示す模式平面図である。
【図４】図３のＢ−Ｂ’線における模式断面図である。
【図５】図３のＣ−Ｃ’線における模式断面図である。
【図６】本発明の前提となる表示領域の画素の配置構成を説明するための模式回路図である。
【図７】従来の液晶表示装置における問題点を説明するための模式図である。
【図８】従来の表示装置において横すじが発生する原因を説明するための模式図である。
【図９】従来の表示装置において横すじが発生する原因を説明するための模式図である。
【図１０】本発明による実施例１の液晶表示装置の概略構成を示す模式図である。
【図１１】本発明による実施例２の液晶表示装置の駆動方法を説明するための模式図である。
【図１２】実施例３の駆動方法の原理を説明するための模式図である。
【図１３】実施例３の駆動方法における画素電位の変化を説明するための模式図である。
【図１４】本発明による実施例４の液晶表示装置の駆動方法を説明するための模式図である。
【符号の説明】
【００６９】
１…ＴＦＴ基板
ＳＵＢ…ガラス基板
ＧＬ，ＧＬｍ，ＧＬｍ＋１，ＧＬｍ＋２，ＧＬｍ＋３，ＧＬｍ＋４…走査信号線
ＣＬ…共通信号線
ＣＰ…共通接続パッド
ＣＴ…対向電極
ＰＡＳ１…第１の絶縁層
ＤＬ，ＤＬｎ，ＤＬｎ＋１…映像信号線
ＳＤ１…ドレイン電極
ＳＤ２…ソース電極
ＳＣ…ＴＦＴ素子のチャネル層（半導体層）
ＰＡＳ２…第２の絶縁層
ＰＸ…画素電極
ＳＬ…スリット
ＢＲ…ブリッジ配線
２…対向基板
３…液晶材料
４…シール材
５…配向膜
ＴＨ１，ＴＨ２，ＴＨ３…スルーホール
【図１】
2007322626.tif 000003
【図２】
2007322626.tif 000004
【図３】
2007322626.tif 000005
【図４】
2007322626.tif 000006
【図５】
2007322626.tif 000007
【図６】
2007322626.tif 000008
【図７】
2007322626.tif 000009
【図８】
2007322626.tif 000010
【図９】
2007322626.tif 000011
【図１０】
2007322626.tif 000012
【図１１】
2007322626.tif 000013
【図１２】
2007322626.tif 000014
【図１３】
2007322626.tif 000015
【図１４】
2007322626.tif 000016
【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
複数本の走査信号線と、絶縁層を介して前記複数本の走査信号線と立体的に交差する複数本の映像信号線と、２本の隣接する走査信号線と２本の隣接する映像信号線で囲まれた画素領域のそれぞれに対して配置されたＴＦＴ素子および画素電極とを有し、前記画素領域の集合として表示領域が設定された表示パネルを備える表示装置において、
前記映像信号線の延在方向で前記走査信号線を横切る毎に、該映像信号線に対するＴＦＴ素子の配置方向が反転し、
前記各映像信号線は、１フレーム期間中同じ極性であり、かつ、１フレーム期間毎に極性が反転する映像信号が加わり、隣接する２本の映像信号線には、互いに逆の極性の映像信号が加わることを特徴とする表示装置。
【請求項２】
複数本の走査信号線と、絶縁層を介して前記複数本の走査信号線と立体的に交差する複数本の映像信号線と、２本の隣接する走査信号線と２本の隣接する映像信号線で囲まれた画素領域のそれぞれに対して配置されたＴＦＴ素子および画素電極とを有し、前記画素領域の集合として表示領域が設定された表示パネルを備える表示装置において、
前記映像信号線の延在方向で前記走査信号線を横切る毎に、該映像信号線に対するＴＦＴ素子の配置方向が反転し、
前記各映像信号線は、２フレーム期間中同じ極性であり、かつ、２フレーム期間毎に極性が反転する映像信号が加わり、隣接する２本の映像信号線には、互いに逆の極性の映像信号が加わることを特徴とする表示装置。
【請求項３】
前記映像信号線に加わる映像信号は、１フレーム期間を２つのフィールド期間に分割し、第１のフィールド期間は前記映像信号よりも階調が高い映像信号が加わり、第２のフィールド期間は前記映像信号よりも階調が低い映像信号が加わり、
前記各走査信号線は、第１のフィールド期間および第２のフィールド期間と同期した走査信号が加わることを特徴とする請求項１に記載の表示装置。
【請求項４】
前記各映像信号線に１フレーム期間に加わる映像信号は、映像信号線の延在方向に並んだ２つの画素毎に、共通電位に対する電位の極性が反転していることを特徴とする請求項１に記載の表示装置。
【請求項５】
複数本の走査信号線と、絶縁層を介して前記複数本の走査信号線と立体的に交差する複数本の映像信号線とを有し、２本の隣接する走査信号線と２本の隣接する映像信号線で囲まれた画素領域には、平板状の対向電極と、前記対向電極の上に絶縁層を介して配置されたスリットを有する画素電極と、前記画素電極に接続されたＴＦＴ素子とが形成されており、前記画素領域の集合として表示領域が設定された表示パネルを備える表示装置において、
前記映像信号線の延在方向で前記走査信号線を横切る毎に、該映像信号線に対するＴＦＴ素子の配置方向が反転し、
前記各映像信号線は、１フレーム期間中同じ極性であり、かつ、１フレーム期間毎に極性が反転する映像信号が加わり、隣接する２本の映像信号線には、互いに逆の極性の信号が加わることを特徴とする表示装置。
【請求項６】
複数本の走査信号線と、絶縁層を介して前記複数本の走査信号線と立体的に交差する複数本の映像信号線とを有し、２本の隣接する走査信号線と２本の隣接する映像信号線で囲まれた画素領域には、平板状の対向電極と、前記対向電極の上に絶縁層を介して配置されたスリットを有する画素電極と、前記画素電極に接続されたＴＦＴ素子とが形成されており、前記画素領域の集合として表示領域が設定された表示パネルを備える表示装置において、
前記映像信号線の延在方向で前記走査信号線を横切る毎に、該映像信号線に対するＴＦＴ素子の配置方向が反転し、
前記各映像信号線は、２フレーム期間中同じ極性であり、かつ、２フレーム期間毎に極性が反転する映像信号が加わり、隣接する２本の映像信号線には、互いに逆の極性の信号が加わることを特徴とする表示装置。
【請求項７】
前記映像信号線に加わる映像信号は、１フレーム期間を２つのフィールド期間に分割し、第１のフィールド期間は前記映像信号よりも階調が高い映像信号が加わり、第２のフィールド期間は前記映像信号よりも階調が低い映像信号が加わり、
前記各走査信号線は、第１のフィールド期間および第２のフィールド期間と同期した走査信号が加わることを特徴とする請求項５に記載の表示装置。
【請求項８】
前記各映像信号線に１フレーム期間に加わる映像信号は、映像信号線の延在方向に並んだ２つの画素毎に、共通電位に対する電位の極性が反転していることを特徴とする請求項５に記載の表示装置。
【請求項９】
前記画素電極と前記映像信号線との距離は、前記対向電極と前記映像信号線との距離よりも大きいことを特徴とする請求項５に記載の表示装置。
【手続補正２】
【補正対象書類名】明細書
【補正対象項目名】００１３
【補正方法】変更
【補正の内容】
【００１３】
（１）複数本の走査信号線と、絶縁層を介して前記複数本の走査信号線と立体的に交差する複数本の映像信号線と、２本の隣接する走査信号線と２本の隣接する映像信号線で囲まれた画素領域のそれぞれに対して配置されたＴＦＴ素子および画素電極とを有し、前記画素領域の集合として表示領域が設定された表示パネルを備える表示装置において、前記映像信号線の延在方向で前記走査信号線を横切る毎に、該映像信号線に対するＴＦＴ素子の配置方向が反転し、前記各映像信号線は、１フレーム期間中同じ極性であり、かつ、1フレーム期間毎に極性が反転する映像信号が加わり、隣接する２本の映像信号線には、互いに逆の映像極性の信号が加わる表示装置。
【手続補正３】
【補正対象書類名】明細書
【補正対象項目名】００１４
【補正方法】変更
【補正の内容】
【００１４】
（２）複数本の走査信号線と、絶縁層を介して前記複数本の走査信号線と立体的に交差する複数本の映像信号線と、２本の隣接する走査信号線と２本の隣接する映像信号線で囲まれた画素領域のそれぞれに対して配置されたＴＦＴ素子および画素電極とを有し、前記画素領域の集合として表示領域が設定された表示パネルを備える表示装置において、前記映像信号線の延在方向で前記走査信号線を横切る毎に、該映像信号線に対するＴＦＴ素子の配置方向が反転し、前記各映像信号線は、２フレーム期間中同じ極性であり、かつ、２フレーム期間毎に極性が反転する映像信号が加わり、隣接する２本の映像信号線には、互いに逆の極性の映像信号が加わる表示装置。
【手続補正４】
【補正対象書類名】明細書
【補正対象項目名】００５０
【補正方法】変更
【補正の内容】
【００５０】
ところで、一般的な液晶表示装置では、各画素の開口率を大きくするために、画素電極ＰＸおよび対向電極ＣＴは可能な限り大きくしている。そのため、映像信号線ＤＬと対向電極ＣＴのギャップｂを小さくして寄生容量Ｃｓｉｇを小さくするのは非常に難しい。つまり、寄生容量Ｃｓｉｇを小さくするには、画素電極ＰＸの幅を細くして、映像信号線ＤＬと画素電極ＰＸのギャップａを大きくすればよい。
【手続補正５】
【補正対象書類名】明細書
【補正対象項目名】００５５
【補正方法】変更
【補正の内容】
【００５５】
図１１において、Ｐ１，Ｐ２，Ｐ３，Ｐ４はフレームを表す。このとき、映像信号線ＤＬの極性は２フレーム毎に変化（反転）する。また、特定のゲート信号線ＧＬｍに着目した場合、フレームＰ１においては、映像信号の極性が前のフレームにおける極性と同じで変化しないので、画素電位の変動は生じない。しかしながら、次のフレームＰ２において、映像信号の極性が前のフレームＰ１における極性とは異なる極性に変化するので、画素電位がΔＶだけ低下することになる。そのため、フレームＰ２では、共通電位との電位差が大きくなるので輝度が増大することになる。
さらに次のフレームＰ３においては、映像信号の極性が前のフレームＰ２における極性と同じで変化しないので、輝度変化は生じない。つまり、映像信号の極性の変化によって生じる輝度の変化が２フレームに１回の割合になるので、横筋のレベルが従来の半分になる。
【手続補正６】
【補正対象書類名】図面
【補正対象項目名】図１１
【補正方法】変更
【補正の内容】
【図１１】
2007322626.tif 000017